【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
圧縮機、熱源機側熱交換器、第１の膨張装置、第２の膨張装置、利用側熱交換器を順次接続配管で連結してなり、ＣＦＣ系冷媒またはＨＣＦＣ系冷媒と、冷凍機油として鉱油を使用したものから、鉱油とは相溶性のないＨＦＣ系冷媒と、ＨＦＣ系冷媒に溶解するＨＦＣ用冷凍機油を使用したものに交換する際に前記接続配管を再利用するようにした冷凍サイクル装置において、
前記第１の膨張装置と第２の膨張装置との間に液冷媒を貯留するレシーバを設け、
前記レシーバは、
このレシーバ内に配置されると共に、ＨＦＣ系冷媒に溶解したＨＦＣ用冷凍機油は通過しＨＦＣ系冷媒と相溶性のない鉱油は捕捉される繊維性の材料であって、冷媒不溶成分又は冷媒に対して弱溶解成分の少なくともいずれかを捕捉するフィルタと、
該フィルタの上下を挟む部材と、
先端部が前記フィルタの下方に設定され、冷媒が導入出される２本の冷媒導入出管と、
前記フィルタの下部に設けられ、前記２本の冷媒導入出管の間に配置された仕切板とを備え、
前記２本の冷媒導入出管は、前記フィルタと前記フィルタの上下を挟む部材とを貫通して設けられ、
前記レシーバの後流側となる前記第１の膨張装置又は第２の膨張装置を全閉あるいは全閉に近い小開度とすることにより前記レシーバ内に冷媒と共に鉱油を回収して鉱油を除去することを特徴とする冷凍サイクル装置。
【請求項２】
請求項１に記載のものにおいて、前記レシーバはキャップとボディとを溶接して製造されるもので、前記フィルタと前記レシーバとの隙間に断熱材が挿入されることを特徴とする冷凍サイクル装置。
【手続補正２】
【補正対象書類名】明細書
【補正対象項目名】０００７
【補正方法】変更
【補正の内容】
【０００７】
上記課題を解決するために、本発明は、圧縮機、熱源機側熱交換器、第１の膨張装置、第２の膨張装置、利用側熱交換器を順次接続配管で連結してなり、ＣＦＣ系冷媒またはＨＣＦＣ系冷媒と、冷凍機油として鉱油を使用したものから、鉱油とは相溶性のないＨＦＣ系冷媒と、ＨＦＣ系冷媒に溶解するＨＦＣ用冷凍機油を使用したものに交換する際に前記接続配管を再利用するようにした冷凍サイクル装置において、前記第１の膨張装置と第２の膨張装置との間に液冷媒を貯留するレシーバを設け、前記レシーバは、このレシーバ内に配置されると共に、ＨＦＣ系冷媒に溶解したＨＦＣ用冷凍機油は通過しＨＦＣ系冷媒と相溶性のない鉱油は捕捉される繊維性の材料であって、冷媒不溶成分又は冷媒に対して弱溶解成分の少なくともいずれかを捕捉するフィルタと、該フィルタの上下を挟む部材と、先端部が前記フィルタの下方に設定され、冷媒が導入出される２本の冷媒導入出管と、前記フィルタの下部に設けられ、前記２本の冷媒導入出管の間に配置された仕切板とを備え、前記２本の冷媒導入出管は、前記フィルタと前記フィルタの上下を挟む部材とを貫通して設けられ、前記レシーバの後流側となる前記第１の膨張装置又は第２の膨張装置を全閉あるいは全閉に近い小開度とすることにより前記レシーバ内に冷媒と共に鉱油を回収して鉱油を除去するものである。
【手続補正３】
【補正対象書類名】明細書
【補正対象項目名】０００８
【補正方法】変更
【補正の内容】
【０００８】
また、上記のものにおいて、前記レシーバはキャップとボディとを溶接して製造されるもので、前記フィルタと前記レシーバとの隙間に断熱材が挿入されることが望ましい。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明によれば、前記第１の膨張装置と第２の膨張装置との間に液冷媒を貯留するレシーバを設け、前記レシーバは、このレシーバ内に配置されると共に、ＨＦＣ系冷媒に溶解したＨＦＣ用冷凍機油は通過しＨＦＣ系冷媒と相溶性のない鉱油は捕捉される繊維性の材料であって、冷媒不溶成分又は冷媒に対して弱溶解成分の少なくともいずれかを捕捉するフィルタと、該フィルタの上下を挟む部材と、先端部が前記フィルタの下方に設定され、冷媒が導入出される２本の冷媒導入出管と、前記フィルタの下部に設けられ、前記２本の冷媒導入出管の間に配置された仕切板とを備え、前記２本の冷媒導入出管は、前記フィルタと前記フィルタの上下を挟む部材とを貫通して設けられ、前記レシーバの後流側となる前記第１の膨張装置又は第２の膨張装置を全閉あるいは全閉に近い小開度とすることによりレシーバ内に冷媒と共に鉱油を回収して鉱油を除去するように構成しているので、以下の効果がある。
（イ）接続配管に残っていた鉱油は液冷媒にほとんど溶解せず液冷媒よりも粘度が高いので、液冷媒が多く存在するレシーバ内で液冷媒から分離されてフィルタに引っかかり、毛細管現象により鉱油をフィルタで捕捉することができる。
（ロ）レシーバ内の２本の冷媒導入出管は、先端部がフィルタの下方に設定されフィルタとそのフィルタの上下を挟む部材とを貫通するようにし、レシーバの後流側となる膨張装置を全閉あるいは全閉に近い小開度としているので、レシーバ内に液冷媒を回収して、フィルタに液冷媒と鉱油との混合液を確実に接触させることができ、この結果ＨＦＣ系冷媒と相溶性のない鉱油をフィルタで効率よく捕捉できる。
（ハ）上記（イ）（ロ）の効果により、本発明によれば、既設配管の洗浄運転を特に必要とせず、リニューアル工事の作業時間を短縮することができる。
【手続補正６】
【補正対象書類名】明細書
【補正対象項目名】００２１
【補正方法】変更
【補正の内容】
【００２１】
次に図１に示す液接続管に配置する不純物回収キット３０ａの不純物回収容器３１ａあるいは図２に示すレシーバ３１ｂに内蔵する冷媒不溶成分を除去するフィルタ３２ａ、３２ｂの設置方法について、図３、図４を用いて説明する。
図３、図４に示すように、レシーバ（不純物回収容器）の製造時は、フィルタ３２ｃ、３２ｄをパンチングメタル３６１ｃ、３６１ｄ、３６２で挟んだ後、キャップ３７１ｃ、３７２ｃ、３７２ｄとボディ３８ｃ、３８ｄとを溶接して行う。その際にボディ３８ｃ、３８ｄの内壁面の温度はフィルタ３２ｃ、３２ｄの最高使用温度を超える。このため、フィルタ３２ｃ、３２ｄがボディ３８ｃ、３８ｄの内壁面に接する構造であれば、フィルタ３２ｃ、３２ｄが熱で劣化し、冷媒不溶成分を捕捉できなくなる。そこで本実施例では、図３に示すように、フィルタ３２ｃの温度が最高使用温度以下となるようにボディ３８ｃとフィルタ３２ｃの間に所定の間隔Δｄを設ける。あるいは、図４に示すように、熱伝導性の低いセラミック、ガラスなどの断熱材３９ｄを挿入し、ボディ３８ｄ内壁面の温度がフィルタ３２ｄに伝わるのを抑制する。
【手続補正７】
【補正対象書類名】明細書
【補正対象項目名】００２３
【補正方法】変更
【補正の内容】
【００２３】
１…圧縮機、２…四方弁、３…熱源機側熱交換器、４…第１の膨張装置、２１ａ、２１ｂ…第２の膨張装置、５、３１ｂ…レシーバ、６、９…阻止弁、７…液接続配管、８…ガス接続配管、１０…アキュムレータ、２０ａ、２０ｂ…室内機、２２ａ、２２ｂ…利用側熱交換器、３０ａ…不純物回収キット、３１ａ…不純物回収容器、３２ａ、３２ｂ、３２ｃ、３２ｄ…フィルタ、３３ａ、３３ｂ、３３ｃ、３３ｄ…仕切板、３４ａ、３４ｂ、３４ｃ、３４ｄ、３４ｅ、３５ａ、３５ｂ、３５ｃ、３５ｄ…冷媒導入出管、３６１ｃ、３６１ｄ、３６２…パンチングメタル、３７１ｃ、３７２ｃ、３７２ｄ…キャップ、３８ｃ、３８ｄ…ボディ、３９ｄ…断熱材、４０ａ、４０ｂ…室外機。